(57)【特許請求の範囲】
【請求項１】
吸引風を発する電動送風機と、前記電動送風機の吸気上流側に配設されフィルター部を内部に備えた集塵室と、前記集塵室の前方側に設けられ前記集塵室の内周面に向かって開口した吸気口と、前記フィルター部を除塵する除塵手段とを備え、前記フィルター部は、粗塵捕集用で略円錐状のプレフィルターと細塵捕集用のメインフィルターとからなり、前記吸気口から吸引された気流および塵埃は、前記集塵室の内周面に沿って略鉛直方向に回転しながら略水平方向に前記電動送風機の吸引側に向かって前記集塵室内を流れることで、前記塵埃は、前記略円錐状のプレフィルターの外側から蓄積し、前記電動送風機の吸引力により圧縮されるとともに、前記メインフィルターに対して前記除塵手段および前記プレフィルターが回転することで、前記メインフィルターおよび前記プレフィルターに付着した塵埃を除去する構成とした電気掃除機。
【請求項２】
メインフィルターは、複数の襞を有した形状である請求項１記載の電気掃除機。
【請求項３】
除塵手段を金属製材料で形成した請求項１または２記載の電気掃除機。
【発明の詳細な説明】
【０００１】
【発明の属する技術分野】
本発明は、一般家庭で使用される電気掃除機に関するもので、特に使用性に関するものである。
【０００２】
【従来の技術】
従来のこの種の電気掃除機は特開昭５７−６４０２７号公報に記載されているようなものが一般的であった。この電気掃除機を図３５を用いて説明する。
【０００３】
図３５において、１は塵埃を吸引するための電動送風機２と塵埃を吸引する吸込具に連通した掃除機本体であり、３は微細な塵埃捕集用のメインフィルター４とメインフィルター４に回転自在に取付けられた、粗い塵埃を捕集するためのプレフィルター５と、前記掃除機本体１間を密閉するパッキン６を内部に有し、前方に塵埃を取込む吸気口７を備えた集塵室であり、前記掃除機本体１と着脱自在に構成されている。
【０００４】
そして、上記電気掃除機を運転すると、吸込具より吸引された塵埃が前記吸気口７を通って前記集塵室３内部に入る。すると、塵埃はまず前記プレフィルター５に吸着し粗い塵埃はここで捕集される。微細な塵埃は前記プレフィルター５を抜けてその奥にある前記メインフィルター４により捕集される。これらの過程を繰り返すことにより塵埃は前記集塵室３内部に蓄積される。
【０００５】
前記集塵室３内部に蓄積された塵埃は前記プレフィルター５及び前記メインフィルター４を前記集塵室３より外すことにより外部に捨てることができる。
【０００６】
【発明が解決しようとする課題】
しかしながら上記従来の電気掃除機の構成では、吸引された塵埃は前記吸気口７を通ってすぐに前記プレフィルター５に蓄積されるため、通気面積がすぐに減少し結果的に吸込み力の低下へと至るという問題点があった。この問題点を解決するためのひとつの手段として、遠心力を利用し吸引した塵埃を電動送風機２の吸引方向と異なる方向に蓄積させる構成のサイクロン集塵タイプの電気掃除機があるが、吸込み力の維持は可能なものの塵埃蓄積部に吸引力がかからないため塵埃の集塵可能容量は低く、結果的にゴミ捨て周期が短くなり手間がかかるという問題点がある。
【０００７】
また、上記従来構成では、プレフィルター５が平面状のため塵埃を捨てる際に塵埃が前記プレフィルター５に付着しやすくなり塵離れ性が悪く、また前記プレフィルター５と前記メインフィルター４が一体構成のため前記メインフィルター４内部に固着した塵埃を除去することが困難であるといったフィルター部分のメンテナンスが難しいといった問題点もあった。
【０００８】
本発明は、上記課題を解決するもので、フィルター部への塵埃の付着を抑えるとともに集塵可能容量を大きくすることで、吸込み力の低下を抑え、使用性および集塵性能を向上させた電気掃除機を提供することを目的とする。
【０００９】
【課題を解決するための手段】
上記課題を解決するために本発明は、吸引風を発する電動送風機と、前記電動送風機の吸気上流側に配設されフィルター部を内部に備えた集塵室と、前記集塵室の前方側に設けられ前記集塵室の内周面に向かって開口した吸気口と、前記フィルター部を除塵する除塵手段とを備え、前記フィルター部は、粗塵捕集用で略円錐状のプレフィルターと細塵捕集用のメインフィルターとからなり、前記吸気口から吸引された気流および塵埃は、前記集塵室の内周面に沿って略鉛直方向に回転しながら略水平方向に前記電動送風機の吸引側に向かって前記集塵室内を流れることで、前記塵埃は、前記略円錐状のプレフィルターの外側から蓄積し、前記電動送風機の吸引力により圧縮されるとともに、前記メインフィルターに対して前記除塵手段および前記プレフィルターが回転することで、前記メインフィルターおよび前記プレフィルターに付着した塵埃を除去する構成とした電気掃除機で、フィルター部に付着した塵埃をより容易に除去できるようになり、高い吸込み力に容易に回復させることができる。また、吸引された塵埃は、集塵室の内面を回転するため、その内側に位置する塵埃捕集用の略円錐形状部のプレフィルターへの塵埃の付着を抑えることができ、吸込み力の低下を抑えることができる。
【００１０】
【発明の実施の形態】
本発明の請求項１記載の発明は、吸引風を発する電動送風機と、前記電動送風機の吸気上流側に配設されフィルター部を内部に備えた集塵室と、前記集塵室の前方側に設けられ前記集塵室の内周面に向かって開口した吸気口と、前記フィルター部を除塵する除塵手段とを備え、前記フィルター部は、粗塵捕集用で略円錐状のプレフィルターと細塵捕集用のメインフィルターとからなり、前記吸気口から吸引された気流および塵埃は、前記集塵室の内周面に沿って略鉛直方向に回転しながら略水平方向に前記電動送風機の吸引側に向かって前記集塵室内を流れることで、前記塵埃は、前記略円錐状のプレフィルターの外側から蓄積し、前記電動送風機の吸引力により圧縮されるとともに、前記メインフィルターに対して前記除塵手段および前記プレフィルターが回転することで、前記メインフィルターおよび前記プレフィルターに付着した塵埃を除去する構成とした電気掃除機で、フィルター部に付着した塵埃をより容易に除去できるようになり、高い吸込み力に容易に回復させることができる。
【００１１】
また、吸引された塵埃は、集塵室の内面を回転するため、その内側に位置する塵埃捕集用の略円錐形状部のプレフィルターへの塵埃の付着を抑えることができ、吸込み力の低下を抑えることができる。また、塵埃が吸引風により圧縮させるもので、集塵量を増加させることができる。
【００１２】
また、フィルター部は粗塵捕集用のプレフィルターと細塵捕集用のメインフィルターとから構成され、除塵手段は前記メインフィルターに付着した塵埃を除去する電気掃除機で、メインフィルターに付着した塵埃をより容易に除去できるようになり、高い吸込み力に容易に回復させることができる。
【００１３】
また、メインフィルターに対して除塵手段およびプレフィルターが回転することで、前記メインフィルターおよび前記プレフィルターに付着した塵埃を除去するもので、高い吸込み力に容易に回復させることができる。
【００１４】
本発明の請求項２記載の発明は、メインフィルターは、複数の襞を有した形状であるもので、前記襞に振動を与えることにより、メインフィルターに付着した塵埃をより容易に除去できるようになり、高い吸込み力に容易に回復させることができる。
【００１５】
本発明の請求項３記載の発明は、除塵手段を金属製材料で形成したもので、除塵手段の耐久性、強度を確保することにより、高い除塵性を維持することができる。
【００１６】
【実施例】
以下、本発明の実施例について図面を用いて説明する。
【００１７】
（実施例１）
図１、３、５、１３〜１５は本発明の実施例１の電気掃除機の全体構成を示す要部断面図、図２、４、６〜１１は同電気掃除機の吸気口部分の局部断面図、図１２、１６、１７は同電気掃除機の集塵室部分の局部断面図である。
【００１８】
図１〜１７において、８は塵埃を吸引するための電動送風機９と塵埃を吸引する吸込具に連通した掃除機本体であり、１０は微細な塵埃捕集用のメインフィルター１１とメインフィルター１１に回転自在に取付けられた、粗い塵埃を捕集するためのプレフィルター１２からなるフィルター部１３と、前記掃除機本体８間を密閉するパッキン１４を内部に有し、前方に塵埃を取込む吸気口１５を備えた集塵室であり、前記掃除機本体８と着脱自在に構成されている。
【００１９】
また、１５は前記集塵室内部の長手方向に室内を分割する仕切板であり、仕切板１６上には図１６、１７に示すように塵埃投入用の切り欠き部１７と吸引用の穴１８を設けている。
【００２０】
また、図３、４において、１９は前記吸気口１５を覆い掃除機動作時のみ図４のように一端が開口され塵埃を前記集塵室１０内部に取入れるための弁である。
【００２１】
また、図５、６、９〜１２において、２０は前記吸気口１５に接続し吸引した塵埃を上方へ運び、前記集塵室内へ運ぶための略筒形状の吸気管、２１は屈曲部、２２は前記吸気管２０の吸気通路部分を覆い掃除機動作時のみ開口させるパイプ弁である。
【００２２】
次に動作、作用について説明する。
【００２３】
図１、２において、電気掃除機を運転すると、前記吸込具から吸引された塵埃は前記集塵室１０の前記電動送風機９が吸引する側の略反対側の内周面に接する方向に設けられた前記吸気口１５より前記集塵室１０内部へ捕集される。この際、前記吸気口１５は図２に示すように前記集塵室１０の内面の接線方向へ開口しているため、前記電動送風機９の吸引力により前記吸気口１５より前記集塵室１０の内面に沿い前記電動送風機９吸引側に向かう回転吸引気流が前記集塵室１０内部に発生する。このため、前記吸気口１５から吸引された塵埃はこの回転気流に乗って前記集塵室１０内周面を回転しながら前記電動送風機９の吸引方向へと、鉛直方向と略水平方向に吸引される。この原理により、吸引された塵埃は、図２の矢印に示すように前記集塵室１０の内面を回転するため、その内側に位置する塵埃捕集用の略円錐形状部を有する前記フィルター部１３への塵埃の付着を抑えることができる。そのため吸込み力の低下を抑えることができ、高吸込み力の維持を図ることができる。
【００２４】
また、塵埃は前記集塵室１０内部を回転しながら前記電動送風機９の吸引方向に蓄積されて前記電動送風機９の吸引力により塵埃の圧縮を行うと同時に吸引された塵埃には、前記集塵室１０内面を回転する際に遠心力が発生するため塵埃が前記集塵室１０の内面に押しつけられる状態になり、更なる塵埃の圧縮が行われるため集塵量を増加させることができる。なお、回転気流が鉛直方向と略水平方向に流れることで、塵埃は重力により落下することもなく、また、フィルター部１３に付着しすぎることもなく、付着と圧縮のバランスが良くなるものである。
【００２５】
また、蓄積した塵埃は前記フィルター部１３を外すことにより前記集塵室１０内部から捨てることができるが、従来の平面タイプのフィルターに比べると本発明の前記フィルター部１３は略円錐形状のため前記フィルター部１３を前記集塵室１０から外す際の前記フィルター部１３への塵埃付着を抑えることができ、塵埃廃棄を容易にすることができる。
【００２６】
図３、４において、電気掃除機を運転すると、前記吸込具から吸引された塵埃は前記集塵室１０の前記電動送風機９が吸引する側の略反対側に設けられた前記吸気口１５より前記集塵室１０内部へ捕集される。この際、前記吸気口１５を覆っていた前記弁１９が吸引力により図４に示すように開放し、前記集塵室１０の内面に沿い前記電動送風機９吸引側に向かう回転吸引気流が前記集塵室１０内部に発生する。このため、前記吸気口１５から吸引された塵埃はこの回転気流に乗って前記集塵室１０内周面を回転しながら前記電動送風機９の吸引方向へ吸引される。この原理により、吸引された塵埃は図４の矢印に示すように前記集塵室１０の内面を回転するため、その内側に位置する塵埃捕集用の略円錐形状部を有する前記フィルター部１３への塵埃の付着を抑えることができる。そのため吸込み力の低下を抑えることができ、高吸込み力の維持を図ることができる。
【００２７】
さらに、前記弁１９は掃除機非動作時は前記吸気口１５を覆っているため、塵埃廃棄時に前記集塵室１０を傾けることにより塵埃が前記吸気口１５からもれる事も防止できる。
【００２８】
図５、６において、電気掃除機を運転すると、前記吸込具から吸引された塵埃は前記集塵室１０の前記電動送風機９が吸引する側の略反対側に設けられた前記吸気口１５より略筒形状の前記吸気管２０の内部を通って前記集塵室１０内部へ捕集される。この際、前記吸気管２０の開口部を前記集塵室１０の内面の接線方向へ開口させると、前記電動送風機９の吸引力により前記吸気口１５より前記集塵室１０の内面に沿い前記電動送風機９吸引側に向かう回転吸引気流が前記集塵室１０内部に発生する。このため、前記吸気口１５から吸引された塵埃は前記吸気管２０を通過した後、この回転気流に乗って前記集塵室１０内周面を回転しながら前記電動送風機９の吸引方向へと、鉛直方向と略水平方向に吸引される。この原理により、吸引された塵埃は図６の矢印に示すように前記集塵室１０の内面を回転するため、その内側に位置する塵埃捕集用の略円錐形状部を有する前記フィルター部１３には塵埃の付着を抑えることができ、結果的に吸込み力の低下を抑えることができる。
【００２９】
さらに、前記吸気管２０は前記吸気口１５よりも前記集塵室１０内部へ突出しているため、塵埃廃棄時に前記集塵室１０を傾けても、塵埃が前記吸気管２０を通って前記吸気口１５からもれる事も防止できる。
【００３０】
図７において、前記集塵室１０断面形状が略楕円形状をなす事により、同一高さでは略円形状に比べて断面積を大きくする事ができる、すなわち前記集塵室１０の集塵可能容積を拡大し、更に集塵量を増加させる事ができる。
【００３１】
図８において、前記集塵室１０断面形状が略多角形状をなす事により、回転している塵埃が前記集塵室１０内面の角に衝突する事により衝撃による塵埃の圧縮が増加し更に塵埃の圧縮を行うことができる。また塵埃衝突を繰り返す事により前記集塵室１０に微振動が与えられ、その微振動により前記集塵室１０内部に蓄積した塵埃を前記集塵室１０の内部に隙間無く詰め込む事ができる。これらの動作により前記集塵室１０の集塵可能容積を拡大し、更に集塵量を増加させる事ができる。
【００３２】
図９において、前記吸気管２０の少なくともその一部に角度９０度を超える屈曲部分２１を有する事により、塵埃廃棄時に前記集塵室１０を傾けても、塵埃が前記吸気管２０を逆流することがないため塵埃のもれを防止できる。
【００３３】
図１０において、前記パイプ弁２２は掃除機非動作時は前記吸気管２０を覆っているため、塵埃廃棄時に前記集塵室１０を傾けることにより塵埃が前記吸気管２０からもれる事も防止できる。
【００３４】
図１１において、前記吸気管２０の集塵室１０内部側の端部が前記集塵室１０の中心高さより高い位置にあるため、塵埃廃棄時に前記集塵室１０を傾けることにより塵埃を前記吸気管２０からもれにくくすることができる。
【００３５】
図１２において、前記吸気管２０の集塵室１０内部側の端部から前記集塵室１０へ塵埃を吸引する方向が略前方方向に向いているため、前記集塵室１０内部に吸引された塵埃はまず前記集塵室１０の前記電動送風機９が吸引する側の略反対側の端部へ放出された後に前記集塵室１０内周面を斜め方向に回転しながら前記電動送風機９の吸引方向へ吸引、蓄積される。このとき吸引された塵埃の回転半径は通常の回転時の半径より大きくなるため遠心力が増大し、塵埃は前記集塵室１０の内面に更に強い力で押しつけられる状態になるので、更なる塵埃の圧縮が行われるため集塵量を増加させることができる。
【００３６】
図１３において前記集塵室１０形状が略円筒形状をなす事により、遠心力が常に均等にかかり塵埃の蓄積および圧縮が一定の条件下で正しく行われるため効率よく塵埃が蓄積でき結果として集塵量の増加へとつながる。
【００３７】
図１４において前記集塵室１０形状において前記電動送風機９が吸引する側の端部の断面形状を反対側の端部の断面形状より大きくすることにより、前記集塵室１０内部の塵埃を除去する際に塵埃出口部の形状が大きいため、引掛り無くスムーズな塵埃排出を行う事ができる。
【００３８】
図１５において前記集塵室１０形状において前記電動送風機９が吸引する側の端部の断面形状を反対側の端部の断面形状より小さくすることにより、前記集塵室１０内部に吸引された塵埃は吸引されるに連れて回転半径が徐々に小さくなるため、回転速度が上昇する。すると前記電動送風機９の吸引側に蓄積される際の衝撃力が増すので塵埃に更に圧縮をかける事ができ結果として集塵量の増加へとつながる。
【００３９】
図１において前記集塵室１０形状は前記電動送風機９が吸引する側の反対側の端部が略球面形状をなす事により、通常遠心回転気流の生じにくい前記集塵室１０先端部分にも遠心気流を生じさせる事ができるため、更なる集塵量増加へつながる。
【００４０】
図１６において電気掃除機は前記集塵室１０内部の長手方向に室内を分割する仕切板１６を備え、その一部に塵埃投入用の切り欠き部１７を設けることにより、前記集塵室１０内部の長手方向に室内を分割し、自身に塵埃投入用の切り欠き部１７を備えた仕切板１６を備える事により、吸引後前記集塵室１０内を回転している塵埃は前記切り欠き部１７を通った後前記仕切板１６に強制的に衝突させられるため、塵埃に更に圧縮をかける事ができ結果として集塵量の増加へとつながる。
【００４１】
図１７において、吸引後前記集塵室１０内を回転している塵埃は前記切り欠き部１７を通った後前記仕切板１６に強制的に衝突させられるとともに、前記仕切板１６に設けた穴部１８から更に吸引力がかかるので、塵埃に圧縮をかける事ができ結果として集塵量の増加へとつながる。
【００４２】
また、前記集塵室１０内部の長手方向に室内を分割し、自身に塵埃投入用の切り欠き部１７を備えた仕切板１６を備え、前記フィルター部１３を前記集塵室１０内部の仕切板１６を挟んだ位置に設けることにより、前記仕切板１６に強制的に衝突させられた塵埃には、前記仕切板１６を挟んだ位置にある前記フィルター部１３から更に吸引力をかけることができるので、塵埃を圧縮することができ結果として集塵量の増加へとつながる。
【００４３】
（実施例２）
図１８〜２８は本発明の実施例２の電気掃除機の全体構成を示す要部断面図である。本実施例２は、実施例１から前記プレフィルター１２まわりを詳細に表したものである。なお、実施例１と同一符号のものは同一構造を有し、その説明は省略する。
【００４４】
図１８〜２８において２３は前記プレフィルター１２の略表面上に設けられた粗い塵埃捕集用のメッシュ部、２４は前記プレフィルター１２の略表面上に設けられた目の細かい微細な塵埃捕集用のメッシュ部、２５は前記プレフィルター１２上に設けられた不通気部、２６は前記メインフィルター１１の外周に設けられた前記プレフィルター１２の外周形状にあわせた環状の不通気壁面、２７はウレタン状のフィルター、２８は前記プレフィルター１２の表面の設けたリブである。
【００４５】
次に動作、作用について説明する。
【００４６】
図１８において前記フィルター部１３は粗い塵埃を捕集するための略円錐形状でメッシュ部２３を有するプレフィルター１２と、細塵捕集用のメインフィルター１１からなり、前記メインフィルター１１は前記プレフィルター１２で完全にあるいは大部分が覆われ、かつ前記プレフィルター１２は回転可能の構成であることにより、前記集塵室１０内部に吸引された塵埃は前記電動送風機９の吸引側に蓄積されて行くが、比較的質量の軽い塵埃は遠心力も小さく、前記電動送風機９の吸引がかかる前記フィルター部１３に吸引されて行くことも多くなる。その場合は前記プレフィルター１２のメッシュ部２３で比較的粗い塵埃を捕集し、微細の塵埃はメッシュ部２３を通過し前記メインフィルター１１に捕集される。その繰返しにより前記プレフィルター１２の表面には塵埃が固着した状態になる。その状態で前記プレフィルター１２を回転させることによりメッシュ部２３と固着した塵埃が互いに擦れあい、その結果前記メッシュ部２３に固着していた塵埃が除去できるため、吸込み力を回復させることができる。
【００４７】
図１９において前記フィルター部１３は粗い塵埃を捕集するための上部が略円錐形状で下部が上記円錐の下端の断面を有する円筒形状をなすメッシュ部２３を有するプレフィルター１２と、細塵捕集用のメインフィルター１１からなり、前記メインフィルター１１は前記プレフィルター１２で完全にあるいは大部分が覆われ、かつ前記プレフィルター１２は回転可能の構成であることにより、前記プレフィルター１２の下部が上記円錐の下端の断面を有する円筒形状をなす事により、前記プレフィルター１２の下端部分のスペースが広くなり集塵容量を増大することができる。
【００４８】
図２０において前記フィルター部１３は粗い塵埃を捕集するための上部が略円錐形状で下部が上記円錐の下端の断面より大きな断面を有する円筒形状あるいは円錐形状をなすメッシュ部２３を有するプレフィルター１２と、細塵捕集用のメインフィルター１１からなり、前記メインフィルター１１は前記プレフィルター１２で完全にあるいは大部分が覆われ、かつ前記プレフィルター１２は回転可能の構成であることにより、前記集塵室１０内部に吸引された塵埃は前記プレフィルター１２の下部に来ると回転している塵埃の通過しているスペースが狭くなるため、塵埃の回転速度が上昇する。すると前記電動送風機９の吸引側に蓄積される際の衝撃力が増すので塵埃に更に圧縮をかける事ができ結果として集塵量の増加へとつながる。
【００４９】
図２１において前記プレフィルター１２の略先端側のみメッシュ部２３で形成し、底面側は不通気部２５で形成した構成である事により、前記集塵室１０内部に吸引された塵埃は回転しながら前記電動送風機９の吸引側に蓄積されて行くが、前記プレフィルター１２の底面側まで行くと、その部分は不通気部２５であり直接前記電動送風機９の吸引力がかからないため、微細な塵埃も前記メインフィルター１１部へ行きにくくなる。
【００５０】
そのため、強い吸込み力を維持することができる。
【００５１】
図２２において前記プレフィルター１２の略先端側のみ目の粗いメッシュ部２３で形成し、底面側は目の細かいメッシュ部２４で形成した構成であることにより、前記集塵室１０内部に吸引された塵埃は回転しながら前記電動送風機９の吸引側に蓄積されて行くが、前記プレフィルター１２の底面側まで行くと前記目の細かいメッシュ２４により塵埃に吸引力がかかり、塵埃の圧縮を行うことができる。これにより更なる集塵量の増加を図ることができる。
【００５２】
図２３において前記フィルター部１３は粗い塵埃を捕集するための略円錐形状でメッシュ部２３を有するプレフィルター１２と、前記プレフィルター１２の外周形状にあわせた環状の不通気壁面２６を有した細塵捕集用のメインフィルター１１からなり、前記メインフィルター１１の前記不通気壁面２６の上部と前記プレフィルター１２の間から塵埃が侵入しないようにエアタイト構成をなし、かつ前記プレフィルター１２は回転可能の構成であることにより、前記プレフィルター１２の小型化を図るとともに、回転時の負荷を削減させることにより前記プレフィルター１２の耐久性改善を図ることができる。
【００５３】
図２４において前記フィルター部１３は粗い塵埃を捕集するための略円錐形状でメッシュ部２３を有するプレフィルター１２と、前記プレフィルター１２の外周形状より大きく、かつ前記集塵室１０の内面との空間が均一になる位置に環状の不通気壁面２６を有した細塵捕集用のメインフィルター１１からなり、前記メインフィルター１１の前記不通気壁面２６の上部と前記プレフィルター１２の間から塵埃が侵入しないようにエアタイト構成をなし、かつ前記プレフィルター１２は回転可能の構成であることにより、前記集塵室１０内部に吸引された塵埃は前記プレフィルター１２の下部に来ると回転している塵埃の通過しているスペースが狭くかつ一定寸法となるため、塵埃の回転速度が上昇し安定する。すると前記電動送風機９の吸引側に蓄積される際の大きな衝撃力が常に得られるので塵埃に満遍なく圧縮をかける事ができ結果として集塵量の増加へとつながる。
【００５４】
また、前記プレフィルター１２のメッシュ部２３または２４に滑り性の高い材料を使用する事により、塵埃除去時の前記プレフィルター１２からの塵離れ性を改善でき、高い吸込み力に容易に回復させることができる。
【００５５】
図２５において前記プレフィルター１２と前記メインフィルター１１の間にウレタン状のフィルター２７を装着可能にする事により、前記プレフィルター１２を通過した微細な塵埃を前記フィルター２７が捕集するため、吸込み力の低下を抑えることができる。
【００５６】
また、前記フィルター２７は着脱可能な構成にする事により、洗濯等が可能になり高い吸込み力に容易に回復させることができる。
【００５７】
図２６において前記プレフィルター１２の表面に前記プレフィルター１２の略回転軸方向にリブ２８を１箇所以上設けることにより、前記リブ２８を回転させると前記プレフィルター１２の表面に蓄積された塵埃を前記プレフィルター１２から容易に除去させることができるため、高い吸込み力に容易に回復させることができる。
【００５８】
図２７において前記プレフィルター１２上のリブ２８はねじれ成分を有した形状をなすことにより、前記リブ２８を回転させると、前記プレフィルター１２表面に蓄積した塵埃を除去するとともに、ねじれ成分を有する前記リブ２８がスクリューの働きを行い塵埃を前記集塵室１０の奥に押しこむため、前記プレフィルター１２に付着した塵埃をより容易に除去できるようになり、高い吸込み力に容易に回復させることができる。
【００５９】
図２８において前記プレフィルター１２上のリブ２８は開始ポイントを共有し、左右両方向のねじれ成分を有した放射状の形状をなすことにより、前記リブ２８を回転させると、前記プレフィルター１２表面に蓄積した塵埃を除去するとともに、左右のねじれ成分を有する前記リブ２８がスクリューの働きを行い、前記プレフィルター１２を左右どちらに回転させても、塵埃を前記集塵室１０の奥に押しこむため、前記プレフィルター１２に付着した塵埃をより容易に除去できるようになり、高い吸込み力に容易に回復させることができる。
【００６０】
（実施例３）
図２９〜３４は本発明の実施例３の電気掃除機の全体構成を示す要部断面図である。本実施例３は、実施例１または２から前記メインフィルター１１まわりを詳細に表したものである。なお、実施例１または２と同一符号のものは同一構造を有し、その説明は省略する。
【００６１】
図２９〜３４において、２９は前記メインフィルター１１の通気面積拡大のために設けた山形形状の襞、３０は前記襞２９に接触し振動を与える事により前記メインフィルター１１の除塵を行うためのフィルターバネ、３１は爪３２を嵌合させることにより前記プレフィルター１２に着脱自在に接続し自身を回転させることにより前記プレフィルター１２を回転させるためのスライダー部、３３は前記プレフィルター１２外周上に設けられ前記プレフィルター１２を外す際に指をかけるための凸部、３４も同一目的で設けられた凹部、３５は前記プレフィルター１２と前記メインフィルター１１間に塵埃を侵入させないためのエアタイト部、３６は前記プレフィルター１２と前記メインフィルター１１間のエアタイトを行うためのフィルターパッキン、３７は前記プレフィルター１２の先端の開口部、３８前記スライダー部３１上に設けられ前記プレフィルター１２下部に設けた位置決め用のへこみ部３９に沿った形状の突起、４０は前記集塵室１０内部に設け、前記開口部３７を塞ぐための筒体である。
【００６２】
図２９〜３２において前記メインフィルター１１は図２９、３０に示すような複数の襞２９を有した形状をなし、前記プレフィルター１２の回転軸部近傍に自身が回転する際に前記メインフィルター１１の襞２９に接触可能なフィルターバネ３０を１つ以上設けることにより、前記プレフィルター１２回転時に前記メインフィルター１１に付着した塵埃をより容易に除去できるようになり、高い吸込み力に容易に回復させることができる。
【００６３】
また図３１に示すように前記フィルターバネ３０を金属製のねじり用コイルバネにすることにより、前記フィルターバネ３０の耐久性、強度を確保することにより、高い除塵性を維持することができる。
【００６４】
また前記フィルターバネ３０をステンレス等防錆金属製材料で形成することにより、水洗い可能になり、塵埃の除去が容易に出来るようになり、高吸込み力を維持できる。
【００６５】
図３２において前記フィルターバネ３０を前記メインフィルター１１の襞２９の外周部分に接触可能な位置にも設けることにより、前記メインフィルター１１の襞２９の両側面を除塵することができるため、高い除塵効果が得られる。
【００６６】
図３２〜３４において前記プレフィルター１２に接続され前記プレフィルター１２を回転させるためのスライダー部３１を設け、前記プレフィルター１２は前記スライダー部３１から着脱可能にすることにより、塵埃の付着が著しい場合は前記プレフィルター１２を外す事によりその内部の前記メインフィルター１１の清掃が容易にでき、高吸込み力の回復が容易にできる。
【００６７】
また、前記プレフィルター１２と前記スライダー部３１が爪３２嵌合により接続する構成のため、前記プレフィルター１２は引張る等により容易に外す事ができ、その内部の前記メインフィルター１１の清掃も更に容易にでき、高吸込み力の回復が容易にできる。
【００６８】
また、前記プレフィルター１２の外周面の一部に手掛け用の凸部３３または凹部３４に指をかけて引く事により、前記プレフィルター１２を容易に外す事ができ、その内部の前記メインフィルター１１の清掃も更に容易にでき、高吸込み力の回復が容易にできる。
【００６９】
また、前記スライダー部３１を固定して前記プレフィルター１２にねじり力を加えた時には、前記プレフィルター１２下部のへこみ部３８と前記スライダー部３１上の突起３９間にせん断力が発生する。そのせん断力が大きくなると、前記へこみ部３８および突起３９に傾斜面を設けることにより前記へこみ部３８が前記突起３９の上部へ逃げようとする力が発生し、ある値を超えると前記爪３２による嵌合が強制的に解除され、その結果前記プレフィルター１２が前記スライダー部３１から外れる。
【００７０】
そのため部品の破損を防止できると同時に、前記プレフィルター１２を容易に外す事ができ、その内部の前記メインフィルター１１の清掃も更に容易にでき、高吸込み力の回復が容易にできる。
【００７１】
図３３において前記プレフィルター１２と前記メインフィルター１１との間のエアタイト部３５は前記メインフィルター１１に取付けたフィルターパッキン３６によりすることにより、その間を塵埃が通過する事は非常に困難であり、前記メインフィルター１１への塵埃の流失を防止でき高吸込み力を維持できる。
【００７２】
なお、コスト削減のため前記フィルターパッキン３６を使用せずに図２３〜２５に示すように前記プレフィルター１２と前記メインフィルター１１との間のエアタイト部３５はインロー形状で構成しても同様の効果を得ることができる。
【００７３】
図３４において、前記フィルターパッキン３６を前記パッキン１４により一体形成する事により、部品を削減するとともに、前記メインフィルター１１と前記パッキン１４の隙間を塵埃が通過する事も防止できるため、集塵性の向上も図る事ができる。
【００７４】
図３２において前記プレフィルター１２の先端の開口部３７は前記集塵室１０内部の前記筒体４０により塞がれていることにより、前記メインフィルター１１除塵時の微細塵埃は前記プレフィルター１２の先端の前記開口部３７通って前記集塵室１０の先端部に溜まる。そして前記集塵室１０内部の塵埃を捨てる際に前記集塵室１０先端部に溜まった微細塵埃が前記集塵室１０内部に溜まった塵埃に混ざるため、前記集塵室１０内部の塵埃を捨てるときには同時に微細塵埃も捨てる事ができるため、効率の良い除塵性を確保でき、高吸込み力の回復が容易にできる。なお、前記プレフィルター１２の開口部３７を塞ぐ手段として、先述の実施例１における前記吸気管２０、前記弁１８等の別部品にて行っても同様の効果を得ることができる。
【００７５】
なお、今まで述べた実施例１〜３は前記集塵室１０を横方向に配置したシリンダータイプの電気掃除機のみであるが、前記集塵室１０を斜め方向に配置してキャニスタータイプやアップライトタイプの電気掃除機に応用しても同様の効果を得ることができる。
【００７６】
【発明の効果】
以上説明したように本発明によれば、フィルター部への塵埃の付着を抑えるとともに集塵可能容量を大きくすることで、吸込み力の低下を抑え、使用性および集塵性能を向上させた電気掃除機を提供できる。
【図面の簡単な説明】
【図１】本発明の実施例１における電気掃除機の要部断面図
【図２】同電気掃除機の吸気口部分の局部断面図
【図３】同電気掃除機の要部断面図
【図４】同電気掃除機の吸気口部分の局部断面図
【図５】同電気掃除機の要部断面図
【図６】同電気掃除機の吸気口部分の局部断面図
【図７】同電気掃除機の吸気口部分の局部断面図
【図８】同電気掃除機の吸気口部分の局部断面図
【図９】同電気掃除機の吸気口部分の局部断面図
【図１０】同電気掃除機の吸気口部分の局部断面図
【図１１】同電気掃除機の吸気口部分の局部断面図
【図１２】同電気掃除機の集塵室部分の局部断面図
【図１３】同電気掃除機の要部断面図
【図１４】同電気掃除機の要部断面図
【図１５】同電気掃除機の要部断面図
【図１６】同電気掃除機の集塵室部分の局部断面図
【図１７】同電気掃除機の集塵室部分の局部断面図
【図１８】本発明の実施例２における電気掃除機の要部断面図
【図１９】同電気掃除機の要部断面図
【図２０】同電気掃除機の要部断面図
【図２１】同電気掃除機の要部断面図
【図２２】同電気掃除機の要部断面図
【図２３】同電気掃除機の要部断面図
【図２４】同電気掃除機の要部断面図
【図２５】同電気掃除機の要部断面図
【図２６】同電気掃除機の要部断面図
【図２７】同電気掃除機の要部断面図
【図２８】同電気掃除機の要部断面図
【図２９】本発明の実施例３における電気掃除機のメインフィルター斜視図
【図３０】同電気掃除機のメインフィルター要部断面図
【図３１】同電気掃除機のフィルターバネ斜視図
【図３２】同電気掃除機の要部断面図
【図３３】同電気掃除機のフィルター部分要部断面図
【図３４】同電気掃除機のフィルター部分要部断面図
【図３５】従来の電気掃除機の要部断面図
【符号の説明】
８  掃除機本体
９  電動送風機
１０  集塵室
１１  メインフィルター
１２  プレフィルター
１３  フィルター部
１５  吸気口
３０  除塵手段（フィルターバネ）
【図１】
0003565219.tif 000002
【図２】
0003565219.tif 000003
【図３】
0003565219.tif 000004
【図４】
0003565219.tif 000005
【図５】
0003565219.tif 000006
【図６】
0003565219.tif 000007
【図７】
0003565219.tif 000008
【図８】
0003565219.tif 000009
【図９】
0003565219.tif 000010
【図１０】
0003565219.tif 000011
【図１１】
0003565219.tif 000012
【図１２】
0003565219.tif 000013
【図１３】
0003565219.tif 000014
【図１４】
0003565219.tif 000015
【図１５】
0003565219.tif 000016
【図１６】
0003565219.tif 000017
【図１７】
0003565219.tif 000018
【図１８】
0003565219.tif 000019
【図１９】
0003565219.tif 000020
【図２０】
0003565219.tif 000021
【図２１】
0003565219.tif 000022
【図２２】
0003565219.tif 000023
【図２３】
0003565219.tif 000024
【図２４】
0003565219.tif 000025
【図２５】
0003565219.tif 000026
【図２６】
0003565219.tif 000027
【図２７】
0003565219.tif 000028
【図２８】
0003565219.tif 000029
【図２９】
0003565219.tif 000030
【図３０】
0003565219.tif 000031
【図３１】
0003565219.tif 000032
【図３２】
0003565219.tif 000033
【図３３】
0003565219.tif 000034
【図３４】
0003565219.tif 000035
【図３５】
0003565219.tif 000036